(57)【特許請求の範囲】
【請求項１】
予め優先度が設定された複数の通信システムにて無線通信可能であって、前記複数の通信システムの何れか一の通信システムにて待ち受けを行う無線部と、
前記無線部により第１の通信システムにて待ち受けを行っている状態下で、当該第１の通信システムよりも優先度の高い第２の通信システムに待ち受けを行い直すようシステム再選択処理を行う制御部と、
前記第１の通信システムにおけるリソースの空きを示す第１指標情報を、前記第１の通信システムを待ち受け中に記憶しておく記憶部と、を備え、
前記制御部は、前記システム再選択処理を行う際に、前記第２の通信システムにおけるリソースの空きを示す第２指標情報を取得し、当該取得した第２指標情報が前記第１指標情報よりも条件が悪い場合には、前記第１の通信システムによる待ち受けを継続させるよう前記無線部を制御することを特徴とする無線端末装置。
【請求項２】
前記制御部は、前記システム再選択処理を行う際に、前記第２指標情報が、前記第１指標情報よりも条件が良い場合には、前記第２の通信システムによる待ち受けを行うよう無線部を制御することを特徴とする請求項１に記載の無線端末装置。
【請求項３】
前記制御部は、前記システム再選択処理を行う際に、前記第２指標情報と前記第１指標情報との条件が同じ場合には、前記第１の通信システムによる待ち受けを維持する制御を行うことを特徴とする請求項１又は２に記載の無線端末装置。
【請求項４】
前記制御部は、タイマに基づいて、間歇的に前記システム再選択処理を行うことを特徴とする請求項１から３のいずれか一項に記載の無線端末装置。
【請求項５】
前記制御部は、前記複数の通信システムのうちの最も高い優先度の通信システムにて待ち受けを行っている場合には、前記タイマを設定しないことを特徴とする請求項４に記載の無線端末装置。
【請求項６】
前記第１指標情報は、位置登録を行う際に、基地局に対する接続試験処理にて取得する接続許可閾値であることを特徴とする請求項１から５のいずれか一項に記載の無線端末装置。
【請求項７】
予め優先度が設定された複数の通信システムにて無線通信可能であって、前記複数の通信システムの何れか一の通信システムにて待ち受けを行う無線部と、
第１の通信システムにて待ち受けを行っている状態下で、当該第１の通信システムよりも優先度の高い複数の他の通信システムに待ち受けを行い直すようシステム再選択処理を行う制御部と、
前記第１の通信システムにおけるリソースの空きを示す第１指標情報を、前記第１の通信システムを待ち受け中に記憶しておく記憶部と、を備え、
前記制御部は、前記システム再選択処理を行う際に、前記複数の他の通信システムにおけるリソースの空きを示す複数の他の指標情報をそれぞれ取得し、当該取得した複数の他の指標情報がいずれも前記第１指標情報よりも条件が悪い場合には、前記第１の通信システムによる待ち受けを継続させるよう前記無線部を制御することを特徴とする無線端末装置。
【請求項８】
前記制御部は、前記システム再選択処理を行う際に、前記複数の他の通信システムの内で最も優先度の高い通信システムを優先して、当該通信システムにおけるリソースの空きを示す指標情報を取得することを特徴とする請求項７に記載の無線端末装置。
【請求項９】
予め優先度が設定された複数の通信システムにて無線通信可能で、前記複数の通信システムの何れか一の通信システムにて待ち受けを行い、第１の通信システムにて待ち受けている状態下で、当該第１の通信システムよりも優先度の高い第２の通信システムに待ち受けを行い直すシステム再選択処理を行う無線端末装置の制御方法であって、
現在待ち受け中の第１の通信システムにおけるリソースの空きを示す第１指標情報を取得して記憶しておく第１ステップと、
前記システム再選択処理に際し、前記第２の通信システムにおけるリソースの空きを示す第２指標情報を取得する第２ステップと、
前記第２ステップにおいて取得した第２指標情報と前記第１指標情報とを比較する第３ステップと、
前記第３ステップにおいて、前記第２指標情報が前記第１指標情報よりも条件が悪い場合には、前記第１の通信システムによる待ち受けを継続する第４ステップと
を含むことを特徴とする無線端末装置の制御方法。
【請求項１０】
前記システム再選択処理を行う際に、前記第２指標情報が、前記第１指標情報よりも条件が良いときには、前記第２の通信システムによる待ち受けを行う第５ステップを含むことを特徴とする請求項９に記載の無線端末装置の制御方法。
【請求項１１】
前記システム再選択処理を行う際に、前記第２指標情報と前記第１指標情報との条件が同じときには、前記第１の通信システムによる待ち受けを維持する第６ステップを含むことを特徴とする請求項９又は１０に記載の無線端末装置の制御方法。
【請求項１２】
タイマに基づいて、間歇的に前記システム再選択処理を実行することを特徴とする請求項９から１１のいずれか一項に記載の無線端末装置の制御方法。
【請求項１３】
前記複数の通信システムのうちの最も高い優先度の通信システムにて待ち受けを行っている場合には、前記タイマを設定しないことを特徴とする請求項１２に記載の無線端末装置の制御方法。
【請求項１４】
前記第１指標情報は、位置登録を行う際に、基地局に対する接続試験処理にて取得する接続許可閾値であることを特徴とする請求項９から１３のいずれか一項に記載の無線端末装置の制御方法。
【請求項１５】
予め優先度が設定された複数の通信システムにて無線通信可能で、前記複数の通信システムの何れか一の通信システムにて待ち受けを行い、第１の通信システムにて待ち受けている状態下で、当該第１の通信システムよりも優先度の高い複数の他の通信システムに待ち受けを行い直すシステム再選択処理を行う無線端末装置の制御方法であって、
現在待ち受け中の第１の通信システムにおけるリソースの空きを示す第１指標情報を取得して記憶しておく第１ステップと、
前記システム再選択処理に際し、前記複数の他の通信システムにおけるリソースの空きを示す複数の他の指標情報を取得する第２ステップと、
前記第２ステップにおいて取得した前記複数の他の指標情報と前記第１指標情報とを比較する第３ステップと、
前記第３ステップにおいて、前記複数の他の指標情報がいずれも前記第１指標情報よりも条件が悪い場合には、前記第１の通信システムによる待ち受けを継続する第４ステップと
を含むことを特徴とする無線端末装置の制御方法。
【発明の詳細な説明】
【技術分野】
【０００１】
本発明は、無線信号を送受信して通信を行う無線端末装置及びその制御方法に関する。
【背景技術】
【０００２】
無線通信システムでは、災害、事故、イベント等によって特定の基地局における通信トラフィックが増大すると輻輳状態が生じて通信が行えなくなる。このため、一般的に、無線通信システムでは、通信品質を維持できなくなる前に、その通信エリアに存在する各端末に対して発信規制を行うようにしている。この発信規制が実施されると、基地局から端末に対して発信規制実施中である旨の情報が送信され、更に端末からの発信が基地局において拒否される。
【０００３】
以下の特許文献１には、発信規制が実施された状態で、端末から基地局へ通常の待ち受け用制御チャネルとは別に設定された第２制御チャネルを使用して、空きチャネルの使用予約情報を送信し、基地局がこの予約情報を受信した場合にその送信元の端末が空きチャネルの使用資格を持つ特定の端末であるか否かを確認したのち予約端末リストに登録する技術が開示されている。かかる技術では、割り当てが可能な空きチャネルが発生した場合に、この空きチャネルの使用許可情報を上記の第２制御チャネルを使用して端末に送信することにより、発信規制が実施されているときでも、特定の端末については無線通信を可能にしている。
【特許文献１】特開平２００２−２０４４７７号公報
【発明の開示】
【発明が解決しようとする課題】
【０００４】
ところで、近年においては、無線通信システムで使用する周波数帯の有効利用を図るとともに、使用周波数帯を世界標準仕様に合わせるために、周波数帯の再編が検討されている。例えば、ＣＤＭＡ2000 １ｘ（Code division Multiple Access 2000 1x）仕様の無線通信システムにおいては、現在国内で日本仕様の８００ＭＨｚ帯が用いられているが、この周波数帯が世界標準仕様である新８００ＭＨｚ帯へ再編される予定である。尚、旧８００ＭＨｚ帯と新８００ＭＨｚ帯とでは、使用する周波数帯のうちの上り、下りの割り当て等が相違している。近年においては、現行の周波数帯（旧８００ＭＨｚ帯）、新たな周波数帯（新８００ＭＨｚ帯）、及び高周波の周波数帯（２ＧＨｚ帯）での通信が可能なマルチバンド対応の端末が開発されている。
【０００５】
このような周波数帯が異なる通信システムには、それぞれ優先度が割り振られることが多い。このようなマルチバンド対応の端末が、どの通信システムを使用するかは、周波数帯の有効活用に直結し、全体のトラフィック環境を大きく左右する。更に、これらの通信システムの選択においても端末の使用者にとっては、トラフィックを考慮したがゆえに位置登録処理に要する時間が増大しても困る。
【０００６】
よって、本発明は、上記事情に鑑みてなされたものであり、位置登録処理に要する時間を増大させることなく通信システムのリソースを有効に利用してトラフィック環境の向上に貢献できる無線端末装置及びその制御方法を提供することを目的とする。
【課題を解決するための手段】
【０００７】
上記課題を解決するために、以下の手段を採用した。
本発明に係る無線端末装置は、予め優先度が設定された複数の通信システムにて無線通信可能であって、前記複数の通信システムの何れか一の通信システムにて待ち受けを行う無線部と、前記無線部により第１の通信システムにて待ち受けを行っている状態下で、当該第１の通信システムよりも優先度の高い第２の通信システムに待ち受けを行い直すようシステム再選択処理を行う制御部と、前記第１の通信システムにおけるリソースの空きを示す第１指標情報を、前記第１の通信システムを待ち受け中に記憶しておく記憶部と、を備え、前記制御部は、前記システム再選択処理を行う際に、前記第２の通信システムにおけるリソースの空きを示す第２指標情報を取得し、当該取得した第２指標情報が前記第１指標情報よりも条件が悪い場合には、前記第１の通信システムによる待ち受けを継続させるよう前記無線部を制御することを特徴とする。
前記制御部は、前記システム再選択処理を行う際に、前記第２指標情報が、前記第１指標情報よりも条件が良い場合には、前記第２の通信システムによる待ち受けを行うよう無線部を制御することを特徴とする。
前記制御部は、前記システム再選択処理を行う際に、前記第２指標情報と前記第１指標情報との条件が同じ場合には、前記第１の通信システムによる待ち受けを維持する制御を行うことを特徴とする。
前記制御部は、タイマに基づいて、間歇的に前記システム再選択処理を行うことを特徴とする。
前記制御部は、前記複数の通信システムのうちの最も高い優先度の通信システムにて待ち受けを行っている場合には、前記タイマを設定しないことを特徴とする。
前記第１指標情報は、位置登録を行う際に、基地局に対する接続試験処理にて取得する接続許可閾値であることを特徴とする。
本発明に係る無線端末装置は、予め優先度が設定された複数の通信システムにて無線通信可能であって、前記複数の通信システムの何れか一の通信システムにて待ち受けを行う無線部と、第１の通信システムにて待ち受けを行っている状態下で、当該第１の通信システムよりも優先度の高い複数の他の通信システムに待ち受けを行い直すようシステム再選択処理を行う制御部と、前記第１の通信システムにおけるリソースの空きを示す第１指標情報を、前記第１の通信システムを待ち受け中に記憶しておく記憶部と、を備え、前記制御部は、前記システム再選択処理を行う際に、前記複数の他の通信システムにおけるリソースの空きを示す複数の他の指標情報をそれぞれ取得し、当該取得した複数の他の指標情報がいずれも前記第１指標情報よりも条件が悪い場合には、前記第１の通信システムによる待ち受けを継続させるよう前記無線部を制御することを特徴とする。
前記制御部は、前記システム再選択処理を行う際に、前記複数の他の通信システムの内で最も優先度の高い通信システムを優先して、当該通信システムにおけるリソースの空きを示す指標情報を取得することを特徴とする。
本発明に係る無線端末装置の制御方法は、予め優先度が設定された複数の通信システムにて無線通信可能で、前記複数の通信システムの何れか一の通信システムにて待ち受けを行い、第１の通信システムにて待ち受けている状態下で、当該第１の通信システムよりも優先度の高い第２の通信システムに待ち受けを行い直すシステム再選択処理を行う無線端末装置の制御方法であって、現在待ち受け中の第１の通信システムにおけるリソースの空きを示す第１指標情報を取得して記憶しておく第１ステップと、前記システム再選択処理に際し、前記第２の通信システムにおけるリソースの空きを示す第２指標情報を取得する第２ステップと、前記第２ステップにおいて取得した第２指標情報と前記第１指標情報とを比較する第３ステップと、前記第３ステップにおいて、前記第２指標情報が前記第１指標情報よりも条件が悪い場合には、前記第１の通信システムによる待ち受けを継続する第４ステップとを含むことを特徴とする。
前記システム再選択処理を行う際に、前記第２指標情報が、前記第１指標情報よりも条件が良いときには、前記第２の通信システムによる待ち受けを行う第５ステップを含むことを特徴とする。
前記システム再選択処理を行う際に、前記第２指標情報と前記第１指標情報との条件が同じときには、前記第１の通信システムによる待ち受けを維持する第６ステップを含むことを特徴とする。
タイマに基づいて、間歇的に前記システム再選択処理を実行することを特徴とする。
前記複数の通信システムのうちの最も高い優先度の通信システムにて待ち受けを行っている場合には、前記タイマを設定しないことを特徴とする。
前記第１指標情報は、位置登録を行う際に、基地局に対する接続試験処理にて取得する接続許可閾値であることを特徴とする。
本発明に係る無線端末装置の制御方法は、予め優先度が設定された複数の通信システムにて無線通信可能で、前記複数の通信システムの何れか一の通信システムにて待ち受けを行い、第１の通信システムにて待ち受けている状態下で、当該第１の通信システムよりも優先度の高い複数の他の通信システムに待ち受けを行い直すシステム再選択処理を行う無線端末装置の制御方法であって、現在待ち受け中の第１の通信システムにおけるリソースの空きを示す第１指標情報を取得して記憶しておく第１ステップと、前記システム再選択処理に際し、前記複数の他の通信システムにおけるリソースの空きを示す複数の他の指標情報を取得する第２ステップと、前記第２ステップにおいて取得した前記複数の他の指標情報と前記第１指標情報とを比較する第３ステップと、前記第３ステップにおいて、前記複数の他の指標情報がいずれも前記第１指標情報よりも条件が悪い場合には、前記第１の通信システムによる待ち受けを継続する第４ステップとを含むことを特徴とする。
【発明の効果】
【０００８】
本発明によれば、現在使用中の第１周波数帯よりも優先度の高い第２周波数帯に関する指標情報が、前記第１周波数に関する指標情報よりも条件が良い場合に、前記第２周波数帯を用いた無線通信に切り換える制御を行っており、優先度の高い第２周波数帯が輻輳状態等であっても第１周波数で無線通信を行うことができるため、待ち受けに要する時間を短縮して通信システムのリソースを有効に利用し、トラフィック環境の向上に繋げることができる。
【発明を実施するための最良の形態】
【０００９】
以下、図面を参照して本発明の一実施形態による無線端末装置及びその制御方法について詳細に説明する。図１は、本発明の一実施形態による無線端末装置が用いられる無線通信システムの概略構成を示すブロック図である。図１に示す通り、無線通信システムは、無線端末装置（以下、端末という）１０と、基地局２０とを含んで構成される。尚、基地局２０は例えば所定の間隔で複数設けられているが、図１では図示の簡略化のために１つの基地局２０のみを図示している。また、図１においては、端末１０についても１つのみを図示している。
【００１０】
図１に示す通り、端末１０は、無線部１１、制御部１２、メモリ１３、音声処理１４、スピーカ１５、マイク１６、表示部１７、及び操作部１８を含んで構成される。無線部１１は、基地局２０によって割り当てられるチャネルを介して基地局２０との間で無線信号の送受信を行う。この無線部１１は、複数の周波数帯での無線信号の送受信が可能である。具体的には、現行の周波数帯（旧８００ＭＨｚ帯）、新たな周波数帯（新８００ＭＨｚ帯）、及び高周波の周波数帯（２ＧＨｚ帯）を用いた無線信号の送受信が可能である。
【００１１】
制御部１２は、端末１０の動作を制御する。具体的には、無線部１１から出力される信号に含まれる音声信号（音声データ）を音声処理部１４に出力するとともに、音声処理部１４から出力される音声信号を無線部１１に出力する。また、制御部１２は、無線部１１によって上記の複数の周波数帯のうちの何れを用いて無線信号の送受信を行うかを制御する。また、制御部１２は待ち受け処理を行う。ここで、待ち受け処理とは、端末１０にとって最もコンディションの良い基地局２０（電界強度や信号波対干渉比等が最も優れている基地局２０：待ち受け基地局）を特定し、その基地局の有するチャネルにて電波を常に受信し続ける処理をいう。
【００１２】
ところで、基地局２０は、基地局２０における通信障害や輻輳状態等の発生を契機に、基地局２０が、自基地局に対して待受け状態にある端末へ、他の基地局への待受け先の切り替えを促す処理であるリダイレクションを行なっている。また、リダイレクションの情報を受信した各端末の制御部１２は、リダイレクション処理を終了した後の所定の時間経過後に、自端末で記憶している優先度の高い周波数帯を選択し、この周波数帯に対する待受けを行なうべく捕捉処理を行なうリセレクションを行っている。そして、マルチバンド対応の端末は、リセレクションにおいて、それぞれの通信システム（周波数帯）には優先順位が設定されている。このため、マルチバンド対応の端末は、リセレクションにおいては極力優先度の高い通信システムで待ち受け動作を行おうとする。
【００１３】
更に、制御部１２は、無線部１１を制御して基地局２０に対し、後述する位置登録及び接続試験（APersistence Test）を行う。その他、制御部１２は、表示部１７の表示制御を行うとともに、操作部１８の操作内容に応じた各種の制御を行う。メモリ１３は、上記の制御部１２が動作、演算、情報の展開、記憶等の処理を行う際に各種データが格納される。
【００１４】
ここで、無線端末装置、特にＣＤＭＡ端末における位置登録及び接続試験について、３ＧＰＰ２にて規定される用語を用いながら簡単に説明する。まず、一つの通信システム（本実施形態では、周波数帯）は、複数のチャネルを有しており、これらのチャネルが各基地局２０に割り当てられており、基地局２０はそれぞれこのような割り当てられたチャネルをカバーするとともに、他の通信システムについてのチャネルをカバーして通信インフラは構成されている。
【００１５】
端末は、この１つのチャネルを用いて位置登録（自端末の端末ＩＤ等のパラメータを送信して、自端末の居場所をネットワークに通知する行為）を行うことにより、以降の基地局２０との通信を行うことになる。詳述すると、電源起動されたとき等において制御部１２は、まずは端末の周辺周波数のチャネルサーチを行う。即ち、制御部１２は、無線部を制御して周辺の周波数を順にサーチする。このサーチ手法に関しては様々な手法が存在するが、多かれ少なかれ、優先順位の高いシステムに属するチャネル（基地局２０からの送信波であって、ＣＤＭＡ2000 １ｘの場合には、Primaly及びSecondaryChannel）から順にサーチする。優先順位の高いシステム中において、充分な信号強度をもつチャネルが存在すれば時間的同期を取るよう動作する。逆に、無ければ次の優先順位のシステムのチャネルサーチを行う。
【００１６】
ここで、時間的同期とは、ＰＮを用いての同期であり、ＣＤＭＡ2000 １ｘの場合には、Pasing Channelの受信できる状態（報知情報が受け取れる状態）を指し、ＥＶ−ＤＯの場合には、Control Channelの受信できる状態を指し、この状態を待ち受け状態という。位置登録を行う際には（即ち、当該通信システムのTrafficに未接続の状態）、まず待ち受け状態にある基地局２０へ、送信可能か否かを確認する接続試験（APersistence Test）を行う。
【００１７】
この接続試験は、基地局２０に接続していない端末１０が基地局２０に対して無線信号を送信する前に実施される試験であり、基地局２０に対して無線信号の送信を行っても良いか否かを確認するための試験である。基地局２０が複数の端末からの無線信号を一時に大量に受信して輻輳状態に陥ることを防止する目的で接続試験が行われる。この接続試験を行うことにより、基地局２０のリソースの空きを示す指標となる情報である閾値が得られる。
【００１８】
具体的には、Trafficに接続していない端末が位置登録等の送信を行う際には、AccessChannelにて送信を行うことになる。また、特に、AccessChannelを使用して送信を行う際には、送信パワーを低い値から徐々に上げて所定の間隔をもって送信を行う（Access Attempt）よう制御することになる。このAccess Attemptにおいて、電力、間隔の他に、APersistence Testを行った結果もこの制御の際のパラメータとして用いている。
【００１９】
尚、APersistence Testは、AccessChannelで送信する場合、無線部の有する送信機へ電力をかける前には必ず実施されるため、ＣＤＭＡ2000方式においては、ＣＤＭＡ2000 １ｘのMessageの場合は、Registration、Origination、PageResponseのMessage送信、更にＥＶ−ＤＯの場合、UATI Request、RouteUpdate、ConnectionRequestの送信において実施されることになる。またこの結果を閾値と呼ぶ。
【００２０】
ここで、APersistence Testにおいて、基地局２０から与えられたパラメータと移動機との種別（通常、保守用、緊急用等）によって制御部１２にて計算された値を閾値と呼ぶ。この閾値は、基地局２０のリソースの空きを示す指標となる情報であり、「０」〜「６３」の値をとる。この閾値が小さいと基地局２０のリソースの空きが多く、反対に閾値が大きくなるに従って基地局リソースの空きが少なくなる。つまり、閾値が小さいと多くの端末１０が基地局２０に接続可能であるが、閾値が大きいと例えば基地局２０で輻輳状態が生じており接続することが困難になる。
【００２１】
図２は、基地局２０への接続の失敗確率と閾値との関係の一例を示す図である。尚、図２においては、横軸に閾値をとっており、縦軸に基地局２０への接続の失敗確率をとっている。図２に示す通り、閾値が小さいと失敗確率も小さいが、閾値が大きくなるにつれて二次関数的に失敗確率も上昇する。閾値が最小値の「０」である場合には基地局２０への接続がほぼ１００％の確率で成功し、閾値が最大値の「６３」の場合には基地局２０への接続がほぼ１００％の確率で失敗することが分かる。
【００２２】
この閾値は、上述した現行の周波数帯（旧８００ＭＨｚ帯）、新たな周波数帯（新８００ＭＨｚ帯）、及び高周波の周波数帯（２ＧＨｚ帯）の各々に、即ちシステム毎にメモリ１３にて記憶する。従って、例えば高周波の周波数帯（２ＧＨｚ帯）での閾値が高く、現行の周波数帯（旧８００ＭＨｚ帯）での閾値が低いという状況があり得る。
【００２３】
図１に戻り、音声処理部１４は、制御部１２から出力される音声信号に対して伸長処理、Ｄ／Ａ変換処理（ディジタル／アナログ変換処理）等を施してスピーカ１５に出力するとともに、マイク１６から出力される音声信号に対してＡ／Ｄ変換処理（アナログ／ディジタル変換処理）圧縮処理等を施して制御部１２に出力する。スピーカ１５は音声処理部１４から出力される音声信号を音声に変換し、マイク１６は音声を音声信号に変換する。表示部１７は、例えば液晶表示装置を備えており、制御部１２から出力される信号に基づいた表示を行う。操作部１８は、通話キー、終話キー、テンキー、ソフトキー等の各種の操作キーを含んで構成されており、ユーザによる操作内容に応じた信号を制御部１２に出力する。
【００２４】
基地局２０は、無線部２１と制御部２２とを含んで構成される。無線部２１は、端末１０に対してチャネルを割り当てて端末１０との間で無線信号の送受信を行う。この無線部２１は、複数の周波数帯での無線信号の送受信が可能である。具体的には、端末１０が備える無線部１１と同様に、現行の周波数帯（旧８００ＭＨｚ帯）、新たな周波数帯（新８００ＭＨｚ帯）、及び高周波の周波数帯（２ＧＨｚ帯）を用いた無線信号の送受信が可能である。制御部２２は、無線部２１によって上記の複数の周波数帯のうちの何れを用いて無線信号の送受信を行うかを制御する。また、制御部２２は、基地局２０における通信障害や輻輳状態等の発生を契機に、基地局２０が、自基地局２０に対して待受け状態にある端末１０へ、他の基地局への待受け先の切り替えを促す処理であるリダイレクションの制御を行う。
【００２５】
ところで、各通信システム（周波数帯）には、基地局２０と端末間で識別するために識別番号として、３ＧＰＰ２においてBand Classが付与されている。例えば、一の基地局２０から報知される情報の中にN-Listと呼ばれる周辺基地局（周辺チャネル情報）リストというもの等において、周辺に存在する通信システムを報知するため等において、この識別番号が使用されたりする。尚、上述した現行の周波数帯（旧８００ＭＨｚ帯）は、Band Class3に分類され、新たな周波数帯（新８００ＭＨｚ帯）は、Band Class0に分類され、高周波の周波数帯（２ＧＨｚ帯）は、Band Class6に分類されている。これらの周波数帯には予め優先度が設定されており、Band Class6の優先度が最も高く、次いでBand Class0の優先度が高く、Band Class3の優先度が最も低い。このBand Class及び優先度はあくまで一例であって、通信事業者のインフラ配備状況に大きく左右される。即ち、この実施例では、Band Class6、Band Class0、Band Class3の順に、トラフィックが空いているようなインフラ配備状況であって、インフラ状況によってこの値はもちろん変動させれば良い。
【００２６】
次に、上記構成における無線通信システムの動作について説明する。図３，図４は、端末１０で行われる待ち受け処理の一例を示すフローチャートである。図３に示すフローチャートは、端末１０の電源が投入された時点、端末１０において呼切断が行われた時点、端末１０が圏外となった時点、又は端末１０が圏外から復帰した時点（基地局２０からの電波が捕捉された時点）において開始される。
【００２７】
処理が開始されると、端末１０の制御部１２は上述した待ち受け処理を行う（ステップＳ１１）。つまり、優先度の最も高いBand Class6にて待ち受け処理を実行し、Band Class6にて待ち受けが可能であればBand Class6で待ち受ける。仮に、Band Class6での待ち受けが不可能であれば、次に優先度の高いBand Class0にて待ち受け処理を実行する。Band Class0にて待ち受けが可能であればBand Class0で待ち受ける。仮に、Band Class0での待ち受けが不可能であれば、最も優先度の低いBand Class3にて待ち受け処理を実行してBand Class3で待ち受ける。
【００２８】
待ち受け処理を完了すると、制御部１２は、待ち受けがBand Class6での待ち受けであるか否かを判断する（ステップＳ１２）。この判断結果が「ＮＯ」である場合（Band Class0又はBand Class3で待ち受けている場合）には、制御部１２はリセレクションタイマの動作を開始させて（ステップＳ１３）一連の処理を終了する。これに対し、ステップＳ１２の判断結果が「ＹＥＳ」である場合（Band Class6で待ち受けている場合）には、制御部１２はリセレクションタイマを動作させずに一連の処理を終了する。
【００２９】
図３のステップＳ１３で動作が開始されたリセレクションタイマが満了すると図４に示すフローチャートが開始される。処理が開始されると、まず制御部１２は、現在待ち受けている周波数帯における接続試験の閾値をメモリ１３に保存する（ステップＳ２１）。即ち、リセレクションタイマが満了すると、一度待ち受けが解除された状態になるため、解除前に待ち受けていた周波数帯における接続試験の閾値をステップＳ２１で使用中周波数帯を示すBand Classに対応させてメモリ１３に保存している。尚、ここでは、Band Class3で待ち受けていたとする。
【００３０】
次に、端末１０の制御部１２は新たに待ち受け処理を行う（ステップＳ２２）。具体的には、優先度の最も高いBand Class6にて上述した待ち受け処理を実行し、Band Class6にて待ち受けが可能であればBand Class6で待ち受ける。尚、ステップＳ２２の処理の前にBand Class6で待ち受けていた場合には、優先度の低いBand Class0，３での待ち受け処理は行われない。
【００３１】
また、仮に、ステップＳ２２の処理の前にBand Class0で待ち受けていた場合には、Band Class6での待ち受けが不可能であれば、次に優先度の高いBand Class0にて待ち受け処理を実行する。尚、ステップＳ２２の処理の前にBand Class0で待ち受けていた場合には、優先度の低いBand Class3での待ち受け処理は行われない。また、仮にステップＳ２２の処理の前にBand Class3で待ち受けていた場合には、まず最も優先度の高いBand Class6での待ち受け処理を行い、Band Class6での待ち受けが不可能であれば、次に優先度の高いBand Class0にて待ち受け処理を実行する。このBand Class0での待ち受けも不可能であれば、前回待ち受けしていたBand Class3での待ち受け処理を行う。
【００３２】
ステップＳ２２の待ち受け処理が完了すると、制御部１２は、ステップＳ２２で新たに待ち受けた周波数帯における接続試験の閾値をメモリ１３に保存する（ステップＳ２３）。次いで、制御部１２は、ステップＳ２１でメモリ１３に保存した閾値と、ステップＳ２３でメモリ１３に保存した閾値とを比較し、ステップＳ２１でメモリ１３に保存した閾値がステップＳ２３でメモリ１３に保存した閾値よりも大であるか否かを判断する（ステップＳ２４）。
【００３３】
ステップＳ２４の判断結果が「ＮＯ」である場合には、前回待ち受けていた周波数帯（ここでは、Band Class3）での待ち受け処理を実施する（ステップＳ２５）。つまり、ステップＳ２２で新たに待ち受けた周波数帯における閾値が、前回待ち受けていた周波数帯（ステップＳ２１の処理が行われる前に待ち受けていた周波数帯）の閾値よりも大きい場合、又はこれらの閾値が同じ場合には、新たに待ち受けた周波数帯よりも前回待ち受けていた周波数帯の方が条件がよいと判断して前回待ち受けていた周波数帯での待ち受け処理を維持している。尚、ここにいう条件とは、基地局２０に接続する上での接続しやすさ、輻輳状態等による通信品質の良さ等をいう。ステップＳ２５の処理を終えると、制御部１２はリセレクションタイマの動作を開始させて（ステップＳ２６）一連の処理を終了する。
【００３４】
これに対し、ステップＳ２４の判断結果が「ＹＥＳ」である場合には、制御部１２は、新たな待ち受けがBand Class6での待ち受けであるか否かを判断する（ステップＳ２７）。この判断結果が「ＮＯ」である場合（Band Class0又はBand Class3で待ち受けている場合）には、制御部１２はリセレクションタイマの動作を開始させて（ステップＳ２６）一連の処理を終了する。これに対し、ステップＳ２７の判断結果が「ＹＥＳ」である場合（Band Class6で待ち受けている場合）には、制御部１２はリセレクションタイマを動作させずに一連の処理を終了する。
【００３５】
尚、前回待ち受けていた周波数帯と、ステップＳ２２で新たに待ち受けた周波数帯が同じである場合には、ステップＳ２４の判断結果に拘わらず、その周波数帯での待ち受けが行われる。つまり、前回待ち受けた周波数帯がBand Class6である場合にはBand Class6での待ち受けが行われ、前回待ち受けた周波数帯がBand Class0である場合にはBand Class0での待ち受けが行われ、前回待ち受けた周波数帯がBand Class3である場合にはBand Class3での待ち受けが行われる。
【００３６】
具体的には、ステップＳ２１においては、待ち受け状態に遷移はしているとはいえ、上述したように基地局２０からの送信波に同期を行ったに過ぎず、Access Channelを用いての送信等も含み、位置登録を新しく捕捉した周波数帯ではまだ行ってはいない。よって、ネットワーク上では端末は前の周波数帯での位置登録が有効となっているため、前の周波数帯の報知情報を再度受信できる状態（前に同期していた周波数に無線部を調整し、時間的同期・復号）に復帰するだけである。このため、ステップＳ２１からステップＳ２２において、制御部１２は、これらの待ち受けに関する情報をメモリに記憶しておいてから新たな周波数への待ち受け動作を開始することが好ましい。
【００３７】
前回待ち受けていた周波数帯がBand Class3である場合には、ステップＳ２２の処理でBand Class6又はBand Class0に待ち受ける可能性がある。上記の実施形態では、ステップＳ２２でBand Class6に待ち受けた場合には、現在待ち受けているBand Class3との閾値の比較によりBand Class6又はBand Class3に待ち受けが行われる。また、ステップＳ２２でBand Class0に待ち受けた場合には、現在待ち受けているBand Class3との閾値の比較によりBand Class0又はBand Class3に待ち受けが行われる。
【００３８】
しかしながら、ステップＳ２２で複数のBand Classに待ち受け可能な場合には、各Band Classの閾値の各々と、前回待ち受けていたBand Class3の閾値とを比較し、最も条件の良いBand Classでの待ち受けを行っても良い。例えば、前回待ち受けしていた周波数帯がBand Class3であり、ステップＳ２２でBand Class6，０の両方に待ち受け可能であり、Band Class6，0，3の閾値のうちでBand Class0の閾値が最も小さければ、最も優先度の高いBand Class6ではなく、次に優先度の高いBand Class0で待ち受けしても良い。尚、かかる場合にも、閾値の比較の順序は、Band Classの優先度の順に行うことが望ましい。
【００３９】
以上説明した通り、本実施形態によれば、現在待ち受けている周波数帯における接続試験の閾値を保存しておき、新たに待ち受けした周波数帯における接続試験の閾値が、保存された閾値よりも高い場合には、現在待ち受けている周波数帯での待ち受けを行うようにしている。このため、従来のマルチバンド対応の端末のように、リセレクションにおいて通信システムの優先度のみを指標として待ち受け動作を行って、例えば優先度が最も高い通信システムで輻輳状態が生じていても位置登録動作をこの通信システムにて試みようとし、極めて時間を要する（例えば、数分〜数時間程度）という事態を防止できる。即ち、位置登録や発信等の上り信号の送信が可能になるために、時間を短縮することができ、これにより通信システムのリソースを有効に利用し、トラフィック環境を向上させることができる。
【００４０】
以上、本発明の一実施形態による無線端末装置及びその制御方法について説明したが、本発明は上記実施形態に制限されることなく、本発明の範囲内で自由に変更が可能である。例えば、上記実施形態では、前回待ち受けていたBand Classよりも優先度の低いBand Classで待ち受けるといった状況は生じないが、例えば全てのBand Classの閾値を取得して、Band Classの優先度が低くとも、閾値の大小によっても待ち受けるBand Classを決定しても良い。これにより、例えば、前回待ち受けていたBand Classが急に輻輳状態に陥り、且つ前回待ち受けていたBand Classよりも優先度の高いBand Classの全てが輻輳状態に陥っているといった状況においても、待ち受け処理が可能になる。
【図面の簡単な説明】
【００４１】
【図１】本発明の一実施形態による無線端末装置が用いられる無線通信システムの概略構成を示すブロック図である。
【図２】基地局２０への接続の失敗確率と閾値との関係の一例を示す図である。
【図３】端末１０で行われる待ち受け処理の一例を示すフローチャートである。
【図４】端末１０で行われる待ち受け処理の一例を示すフローチャートである。
【符号の説明】
【００４２】
１０    端末
１１    無線部
１２    制御部
１３    メモリ
２０    基地局
【図１】
0004663549.tif 000002
【図２】
0004663549.tif 000003
【図３】
0004663549.tif 000004
【図４】
0004663549.tif 000005